(57)【特許請求の範囲】
【請求項１】
外部から入力された入力映像信号の受信を行う映像入力部と、
前記映像入力部に入力された入力映像信号の有無を検出する映像検出部と、
接続されるマイコンとの間でデータを送受する通信の制御を行う通信制御部と、
前記通信制御部が行う通信の通信タイミング信号を自走して生成または前記入力映像信号に含まれる同期信号に基づいて生成する通信タイミング生成部と、を備え、
入力映像信号が無いことを前記映像検出部が検出した場合に、前記通信タイミング生成部が自走して前記通信タイミング信号を生成し前記通信制御部へ出力して前記マイコンとの通信を行い、
前記通信タイミング生成部が自走して生成する通信タイミング信号は、入力映像信号が無いことを前記映像検出部が検出する前の入力映像信号の同期信号と同等であることを特徴とする映像処理装置。
【請求項２】
前記映像入力部が受信した入力映像信号の映像信号処理を行う映像処理部を備え、
前記通信制御部はレジスタを有し、
前記通信制御部は、前記レジスタを介して入力映像の特徴量をマイコンへ送信し、入力映像の特徴量に基づいて算出された制御値を前記レジスタを介して前記マイコンから受信し、前記映像処理部が前記マイコンから受信した制御値に基づいて映像信号処理を行う請求項１記載の映像処理装置。
【請求項３】
入力映像信号が無いことを前記映像検出部が検出し、前記通信タイミング生成部が前記通信タイミング信号を生成し前記通信制御部へ出力して前記マイコンとの通信を行った後に、入力映像信号が有ることを前記映像検出部が検出した場合に、
前記通信タイミング生成部が、自走して生成した通信タイミング信号から前記入力映像信号に含まれる同期信号に基づいて生成した通信タイミング信号へ切り替えるのは、
前記入力された映像信号が有ることを前記映像検出部が検出した後であって、前記入力映像信号に含まれる同期信号が出力された以降である、請求項１記載の映像処理装置。
【請求項４】
映像信号を生成する自走映像生成部を備え、
入力映像信号が無いことを前記映像検出部が検出した場合に、前記自走映像生成部が前
記自走映像生成部が生成した映像信号を前記映像処理部へ出力し、前記通信タイミング生成部が前記自走映像生成部が生成した映像信号に含まれる同期信号に基づいて生成される通信タイミング信号を前記通信制御部へ出力して前記マイコンとの通信を行うことを特徴とする請求項２記載の映像処理装置。
【請求項５】
前記映像入力部を複数備え、
複数の前記映像入力部へそれぞれ入力された複数の入力映像信号の一方の入力映像信号が無いことを前記映像検出部が検出した場合に、前記通信タイミング生成部が、前記複数の入力映像信号の他方の入力映像信号に含まれる同期信号を前記通信制御部へ出力して前記マイコンとの通信を行うことを特徴とする請求項１記載の映像処理装置。
【請求項６】
複数の前記映像入力部へそれぞれ入力された複数の入力映像信号の一方の入力映像信号が無いことを前記映像検出部が検出した場合に、前記通信タイミング生成部が、前記複数の入力映像信号の他方の入力映像信号に含まれる同期信号を前記通信制御部へ出力して前記マイコンとの通信を行った後に、前記一方の映像信号が有ることを前記映像検出部が検出した場合に、
前記一方の入力映像信号が有ることを前記映像検出部が検出した後の前記一方の入力映像信号に含まれる同期信号が出力された以降に、前記一方の入力映像信号に含まれる同期信号に基づいて生成される通信タイミング信号を前記通信制御部へ出力して前記マイコンとの通信を行うことを特徴とする請求項５記載の映像処理装置。
【請求項７】
マイコンと、
外部から入力された入力映像信号の受信を行う映像入力部と、
前記映像入力部に入力された映像信号の有無を検出する映像検出部と、
前記マイコンに接続され、前記マイコンとの間でデータを送受する通信の制御を行う通信制御部と、
前記マイコンとの通信の動作基準となる通信タイミング信号を生成する通信タイミング生成部と、
前記映像信号に対して信号処理を行う映像処理部と、
前記映像処理部が映像処理した映像信号を出力するディスプレイとを備え、
入力映像信号が無いことを前記映像検出部が検出した場合に、前記通信タイミング生成部が前記通信タイミング信号を生成し前記通信制御部へ出力して前記マイコンとの通信を行い、前記通信タイミング生成部が自走して生成する通信タイミング信号は、入力映像信号が無いことを前記映像検出部が検出する前の入力映像信号の同期信号と同等であることを特徴とする映像表示装置。
【請求項８】
前記通信制御部は、レジスタを有し、該レジスタを介して入力映像の特徴量をマイコンへ送信し、
前記マイコンは、前記レジスタを介して読み込んだ入力映像の特徴量に基づいて算出した制御値を前記レジスタに書き込み、
前記映像処理部は、前記レジスタを介して前記マイコンから受信した制御値に基づいて映像信号処理を行う請求項７記載の映像表示装置。
【発明の詳細な説明】
【技術分野】
【０００１】
本発明は、映像表示装置に関し、より特定的には、映像処理を制御するための通信を映像の垂直同期信号に同期して行う方式において、映像が入力されない場合にも確実に通信を確立させることが可能な映像処理装置に関する。
【背景技術】
【０００２】
テレビ受像機などの映像表示装置においては、各種制御を行うための動作基準信号として映像の同期信号が用いた手法が提案されており、映像処理ＩＣの通信制御においてもノイズ乱れの抑制やフレームに同期した動的な制御を行うことを目的として、映像の同期信号を用いた手法が提案されている。
【０００３】
例えば、特開平８−２５１５５７では、画面にノイズが発生しないように、映像処理ＩＣを制御するための通信を映像の垂直同期信号に同期して行う手法が公開されている。
【０００４】
また、同期信号を動作基準信号に用いた場合の問題として、映像の同期信号が不安定になった際に誤動作が起きる可能性が挙げられるが、これに関しては同期乱れが発生した場合には自走信号に切り替えるなどの手法が提案されている。
【０００５】
例えば、特開２００６−２２２６８７では、同期信号が不安定になったときに自走の同期信号に切り替え、その後、自走の同期信号から元の同期信号に切り替える際の同期乱れを抑制する技術が公開されている。
【先行技術文献】
【特許文献】
【０００６】
【特許文献１】特開平８−２５１５５７号公報
【特許文献２】特開２００６−２２２６８７号公報
【発明の概要】
【発明が解決しようとする課題】
【０００７】
しかしながら、上記特許文献１に示されている従来技術では、映像が入力されない場合においては垂直同期信号が検出されず、通信が行えなくなるという問題があった。
【０００８】
また、上記特許文献２に示されている従来技術では、同期信号の乱れを映像信号から検出することができないため、映像表示装置に適応した場合は、「早送り」などの同期信号が不安定になる期間を検知できず、自走の同期信号に切り替えることが困難となる。
また、上記特許文献２に示されている従来技術では、同期信号を安定して出力することは可能であるものの、映像表示が乱れず、かつユーザに対して違和感を与えない表示となるかどうかについては考慮されていない。
【０００９】
さらに、上記特許文献２に示されている従来技術では、正常時には同期信号の周期が一定であることを前提としているが、実際には正常時でも入力映像信号の同期タイミングの周期は頻繁にずれることがあり、そのような同期タイミングの周期がずれる映像処理装置は、自走時の同期周期が短くなってしまい、映像処理ＩＣに対する通信の動作基準信号として使用する場合には、通信可能時間が短くなってしまう場合があるという課題がある。
【００１０】
それ故に、本発明の目的は、映像処理を制御するための通信を映像の垂直同期信号に同期して行いながら、映像信号が入力されない場合にも確実に通信を確立させることが可能
な映像処理装置を提供することである。
【課題を解決するための手段】
【００１１】
本発明の映像処理装置は、外部から入力された入力映像信号の受信を行う映像入力部と
、前記映像入力部に入力された入力映像信号の有無を検出する映像検出部と、接続されるマイコンとの間でデータを送受する通信の制御を行う通信制御部と、前記通信制御部が行う通信の通信タイミング信号を自走して生成または前記入力映像信号に含まれる同期信号に基づいて生成する通信タイミング生成部と、を備え、入力映像信号が無いことを前記映像検出部が検出した場合に、前記通信タイミング生成部が自走して前記通信タイミング信号を生成し前記通信制御部へ出力して前記マイコンとの通信を行い、前記通信タイミング生成部が自走して生成する通信タイミング信号は、入力映像信号が無いことを前記映像検出部が検出する前の入力映像信号の同期信号と同等である構成を有している。
【００１２】
また、本発明の映像表示装置は、マイコンと、外部から入力された入力映像信号の受信を行う映像入力部と、前記映像入力部に入力された映像信号の有無を検出する映像検出部と、前記マイコンに接続され、前記マイコンとの間でデータを送受する通信の制御を行う通信制御部と、前記マイコンとの通信の動作基準となる通信タイミング信号を生成する通信タイミング生成部と、前記映像信号に対して信号処理を行う映像処理部と、前記映像処理部が映像処理した映像信号を出力するディスプレイとを備え、入力映像信号が無いことを前記映像検出部が検出した場合に、前記通信タイミング生成部が前記通信タイミング信号を生成し前記通信制御部へ出力して前記マイコンとの通信を行い、前記通信タイミング生成部が自走して生成する通信タイミング信号は、入力映像信号が無いことを前記映像検出部が検出する前の入力映像信号の同期信号と同等である構成を有している。
【００１３】
この構成により映像信号が入力されない場合には、それを検出して自走で通信タイミング信号を生成するため、映像信号が入力されない場合にも確実に映像処理を制御するための通信を行うことが可能となる。
【発明の効果】
【００１４】
本発明を用いることによって、映像信号が入力されない場合には、それを検出して自走で通信タイミング信号を生成するため、映像信号が入力されない場合にも確実に映像処理を制御するための通信を行うことが可能となる。  
【図面の簡単な説明】
【００１５】
【図１】本発明の第１の実施の形態における映像表示装置のブロック図
【図２】本発明の第１の実施の形態における映像表示装置の映像処理部における動作説明のためのフロー図
【図３】本発明の第１の実施の形態における映像表示装置の動作説明のためのタイミングチャート図
【図４】本発明の第１の実施の形態における映像表示装置の他の動作説明のためのタイミングチャート図
【図５】本発明の第１の実施の形態の変形例１における映像表示装置のブロック図
【図６】本発明の第１の実施の形態の変形例１における映像表示装置の動作説明のためのタイミングチャート図
【図７】本発明の第１の実施の形態の変形例１における映像表示装置の他の動作説明のためのタイミングチャート図
【図８】本発明の第１の実施の形態の変形例２における映像表示装置のブロック図
【図９】本発明の第１の実施の形態の変形例２における映像表示装置の動作説明のためのタイミングチャート図
【図１０】本発明の第１の実施の形態の変形例２における映像表示装置の他の動作説明のためのタイミングチャート図
【図１１】本発明の他の実施の形態における映像表示装置のブロック図
【発明を実施するための形態】
【００１６】
（実施の形態１）
以下、本発明に係る実施の形態について、図面を参照しながら説明する。なお、本発明について、以下の実施の形態および添付の図面を用いて説明を行うが、これは例示を目的としており、本発明がこれらに限定されることを意図しない。また、各図面において、本発明に直接関係のない構成要素は図示を省略している。
図１は、本発明の一実施形態に係る映像表示装置１の構成を示す図である。図１において、映像表示装置１は、映像処理ＩＣ１１とマイコン１２とディスプレイ１３を備えている。
【００１７】
映像処理ＩＣ１１は、ＤＶＤプレイヤーやチューナなど、外部から出力されて映像処理ＩＣ１１へ入力される入力映像信号に対して画質調整などの各種信号処理を行うＩＣであって、少なくとも映像入力部１１１と映像検出部１１２と映像処理部１１３と通信制御部１１４と通信タイミング生成部１１５とを備える。
映像入力部１１１は、アナログ、または、デジタル形式の映像信号の受信を行う。入力映像信号がアナログ形式の映像信号である場合には、映像入力部１１１はＡＤＣ（Ａｎａｌｏｇ−Ｄｉｇｉｔａｌ  Ｃｏｎｖｅｒｔｅｒ）となる。また、入力映像信号がデジタル形式の映像、例えば、ＨＤＭＩのようなシリアライズされた映像信号である場合には、映像入力部１１１はシリアル−パラレル変換を行う。
【００１８】
映像検出部１１２は、入力映像の有無を検出する。入力映像の検出方法としては、例えば、入力された映像信号に含まれる映像の垂直同期信号、または、水平同期信号、もしくはその両方が、正常なタイミングで入力されているか否かを検出することによって行う。映像処理部１１３は、映像信号に対して各種の映像信号処理を行う。ここで行われる映像信号処理としては、例えば、映像の白と黒の明暗を変化させるためのコントラスト制御や画面全体の明るさを変化させるためのブライト制御、映像の色の濃さを変化させるためのカラーゲイン制御などがある。これらの制御を行うための設定値は、通信制御部１１４に備えられているレジスタに書き込まれた値を用いる。
【００１９】
なお、映像処理部１１３において実施される映像処理は、映像シーンの特徴に関わらず一定の設定値で動作してもよいし（静的制御）、映像シーンの特徴に応じて、例えば、フレームごとに動的に設定値を変化させてもよい（動的制御）。
【００２０】
設定値の動的制御は図２に示すような手順で行う。ここでは、映像の特徴に応じて、動的にコントラストを制御するものとして説明を行う。
【００２１】
まず、映像処理部１１３において、該当フレームにおける映像の特徴量を検出する（Ｓ１）。映像の特徴量としては、例えば、映像信号の最大輝度／最小輝度、平均輝度、輝度ヒストグラムなどがある。次に、映像処理部１１３は検出した特徴量を通信制御部１１４に備えられるレジスタの該当番地に書き込む（Ｓ２）。
【００２２】
マイコン１２は、通信制御部１１４のレジスタに書き込まれた特徴量を読み込み（Ｓ３）、映像の特徴量に応じて最適なコントラスト制御値を算出する（Ｓ４）。そして、算出したコントラスト制御値を通信制御部１１４の該当レジスタに書き込む（Ｓ５）。
そして、映像処理部１１３は、レジスタに書き込まれたコントラスト制御値に基づき、映像信号に対してコントラスト制御を行う（Ｓ６）。
【００２３】
以上のような処理をフレームごとに行うことによって動的にコントラスト制御を行うことが可能になり、映像の特徴に応じて最適なコントラストに制御することが可能になる。
通信制御部１１４は、マイコン１２と接続されており、マイコン１２との通信の制御を行う。通信制御部１１４はデータを保持するためのレジスタを備えており、マイコン１２から送信されたデータはレジスタの該当アドレスに保持される。また、マイコン１２は、通信制御部１１４を介して、レジスタの所定アドレスのデータを読み込むことも可能である。
【００２４】
通信タイミング生成部１１５は、通信制御部１１４で必要となる通信タイミング信号を生成する。通信制御部１１４で行われる通信は、上述の動的制御をフレームごとに実施するため、入力映像信号の垂直同期信号に同期したタイミングで実施する必要がある。したがって、通信タイミング生成部１１５は、映像検出部１１２において入力映像信号が検出されている場合には、入力映像信号の垂直同期タイミングに基づき通信タイミング信号を生成し通信制御部１１４に出力する。通信タイミングは、例えば、入力映像信号のフレームレートが５９．９４Ｈｚである場合には、１６．６８ｍｓ周期となる。
【００２５】
映像検出部１１２において入力映像信号が検出されていない場合には、入力映像信号の垂直同期タイミングに基づいて通信タイミング信号を生成することができないため、自走で通信タイミング信号を生成し通信制御部１１４に出力する。自走で通信タイミング信号を生成する方法としては、例えば、カウンタにより５９．９４Ｈｚ（１６．６８ｍｓ）と同等の時間を計測することにより、入力映像信号がある場合と同等の通信タイミング信号を生成する。これにより、入力映像信号がない場合においても、入力映像信号がある場合と同等の通信タイミング信号を生成することが可能となり、入力映像信号がなくなった場合においても通信が途切れることがないという利点がある。
【００２６】
マイコン１２は、通信制御部１１４を介して、映像処理ＩＣ１１に対して映像処理の設定値の書き込みや、映像特徴量の読み込みを行う。映像処理ＩＣ１１とマイコン１２の間の通信には、例えばＩ２Ｃなどのシリアル通信を用いる。
【００２７】
ディスプレイ１３は、映像処理ＩＣ１１から供給された映像信号を映像として表示するデバイスであり、液晶、ＣＲＴ（Ｃａｔｈｏｄｅ  Ｒａｙ  Ｔｕｂｅ）、有機ＥＬ（Ｅｌｅｃｔｒｏ−Ｌｕｍｉｎｅｓｅｎｃｅ）、プラズマなどのディスプレイや、スクリーンに映像を映すプロジェクタ、ヘッドアップディスプレイなどのうち、いずれか１つ以上により構成される。
【００２８】
次に、映像処理ＩＣ１１とマイコン１２の間の通信について、図３、および、図４に示すタイミングチャートを用いて説明する。
【００２９】
図３、図４において、通信タイミング信号は映像処理ＩＣ１１からマイコン１２へ出力される信号であり、通信タイミング信号生成部１１５において生成された信号である。通信タイミング信号の周期は、入力映像信号のフレームレートが５９．９４Ｈｚである場合１６．６８ｍｓであり、マイコン１２は通信タイミング信号がハイ（Ｈ）期間の間にレジスタの書き込み、読み出しのための通信を実行する。通信タイミング信号がロー（Ｌ）となっている期間は、入力映像信号のブランキング期間に相当し、この期間に映像処理ＩＣ１１はレジスタに設定されたレジスタ値の反映や、入力映像信号の映像特徴量のレジスタへの書き込みを実施する。ここでは、通信タイミング信号のハイ（Ｈ）期間が１６．３ｍｓであるとして説明を行う。
【００３０】
図３において、時刻Ｔ１１までは、入力映像信号が正常に入力されている期間である。この期間の通信タイミング信号は、入力映像信号に含まれる垂直同期タイミングに基づき生成されている。
【００３１】
時刻Ｔ１１において、何らかの理由により映像信号が入力されなくなったとする。この場合、所定の時間後（時刻Ｔ１２）に、映像検出部１１２において、映像信号が入力されなくなったことが検出される。
【００３２】
すると、通信タイミング生成部１１５は、カウンタで５９．９４Ｈｚと同等の時間を計測し、自走で通信タイミング信号を生成する。
【００３３】
また、図４において、時刻Ｔ１３までは、映像信号が入力されていない期間である。この期間の通信タイミング信号は、自走で生成された信号である。時刻Ｔ１３において、映像信号が正常に入力されるようになったとする。この場合、所定の時間後（時刻Ｔ１４）に、映像検出部１１２において、映像信号が正常に入力されるようになったことが検出される。
【００３４】
すると、通信タイミング生成部１１５は、時刻Ｔ１４における通信タイミング信号のレベル（ハイ、もしくは、ロー）を保持する。そして、時刻Ｔ１５に入力映像信号の垂直同期信号に基づき生成した信号に切り替える。
【００３５】
以上のような制御を行うことにより、映像信号が入力されない場合においても、自走で通信タイミング信号を生成するため、通信の途切れを最低限に抑え、確実に通信を行うことが可能となる。
【００３６】
また、図４に示すように、自走の通信タイミング信号と映像信号に基づき生成した通信タイミング信号を切り替える際に、時刻Ｔ１４で映像信号が正常に入力されるようになったことが検出されてすぐに切り替えるのではなく、入力映像信号の垂直同期タイミングを待って（時刻Ｔ１５）切り替えることにより、映像処理を制御するためを少なくとも通常の１フレーム相当期間（１６．３ｍｓ）以上確保することが可能となる。
【００３７】
（変形例１）
ここで、本実施の形態における映像表示装置の第１の変形例について説明する。本変形例においては、図５に示すように、自走映像生成部２１６を具備しており、通信タイミング生成部２１５が、表示映像の垂直同期信号に基づき通信タイミング信号を生成する点が実施の形態１と異なる。
【００３８】
本変形例において、自走映像生成部２１６は、映像検出部２１２において入力映像信号が検出されていない場合には、フレームレート５９．９４Ｈｚの映像を自走で生成し出力する。自走映像は、例えば、黒色や青色の単色映像（ラスター映像）である。
【００３９】
映像処理部２１３は、映像検出部２１２において入力映像信号が検出されている場合には、入力された映像信号を選択してディスプレイ２３に出力し、映像検出部２１２において入力映像信号が検出されていない場合には、自走映像生成部２１６で生成された自走映像を選択してディスプレイ２３に出力する。
【００４０】
通信タイミング生成部２１５は、映像処理部２１３で選択された映像信号の垂直同期信号に基づき、通信タイミング信号を生成する。
【００４１】
本変形例における、映像処理ＩＣ２１とマイコン２２の間の通信について、図６、図７に示すタイミングチャートを用いて説明する。
【００４２】
図６において、時刻Ｔ２１までは、入力映像信号が正常に入力されている期間である。この期間の通信タイミング信号は、入力映像信号の垂直同期タイミングに基づき生成され
ている。
【００４３】
時刻Ｔ２１において、何らかの理由により映像信号が入力されなくなったとする。この場合、所定の時間後（時刻Ｔ２２）に、映像検出部２１２において、映像信号が入力されなくなったことが検出される。
【００４４】
すると自走映像生成部２１６は、フレームレート５９．９４Ｈｚの自走映像を生成し出力する。通信タイミング生成部２１５は、自走映像の垂直同期信号に基づいて通信タイミング信号を生成する。
【００４５】
また、図７において、時刻Ｔ２３までは、映像信号が入力されていない期間である。この期間の通信タイミング信号は、自走映像の垂直同期信号に基づき生成されている。
時刻Ｔ２３において、映像信号が正常に入力されるようになったとする。この場合、所定の時間後（時刻Ｔ２４）に、映像検出部２１２において、映像信号が正常に入力されるようになったことが検出される。
【００４６】
すると、通信タイミング生成部２１５は、時刻Ｔ２４における通信タイミング信号のレベル（ハイ、もしくは、ロー）を保持する。そして、時刻Ｔ２５に入力映像信号の垂直同期信号に基づき生成した信号に切り替える。
【００４７】
また、図７に示すように、自走映像の垂直同期信号に基づき生成した通信タイミング信号と入力映像信号の垂直同期信号に基づき生成した通信タイミング信号を切り替える際に、時刻Ｔ２４で映像信号が正常に入力されるようになったことが検出されてすぐに切り替えるのではなく、入力映像信号の垂直同期タイミングを待って（時刻Ｔ２５）切り替えることにより、映像処理を制御するための通信時間を少なくとも通常の１フレーム相当期間（１６．３ｍｓ）以上確保することが可能となる。
【００４８】
以上のように、映像信号が入力されない場合には、自走映像を生成してディスプレイに出力し、かつ、自走の映像信号の垂直同期信号に基づき通信制御を行うことによって、映像信号が入力されない場合の通信の確立と、ユーザに対して違和感を与えない映像表示の両立を実現することが可能となる。
【００４９】
（変形例２）
ここで、本実施の形態における映像表示装置の第２の変形例について説明する。本変形例においては、図８に示すように、映像入力部が複数備えられている。ここで、映像入力部３１１Ａに入力される映像信号（映像Ａ）は、入力が不安定になる、もしくは、なくなる可能性があるものとし、映像入力部３１１Ｂに入力される映像信号（映像Ｂ）は、常に安定して入力されるものとする。例えば、映像ＡはＨＤＭＩやＮＴＳＣなどのフォーマットで映像表示装置の外部から入力される映像信号であり、映像Ｂは、メニュー画面など映像表示装置の内部で生成される映像信号である。
【００５０】
まず、映像Ａをディスプレイに表示する場合の処理を説明する。映像Ａは映像入力部３１１Ａにおいて映像処理ＩＣ３１に取り込まれ、映像処理部３１３へ出力された後、ディスプレイ３３に出力される。ここで、通信タイミング生成部３１５は、映像Ａの垂直同期信号に基づき、通信タイミング信号を生成する。  
【００５１】
次に、映像Ｂをディスプレイに表示する場合の処理を説明する。映像Ｂは映像入力部３１１Ｂにおいて映像処理ＩＣ３１に取り込まれ、映像処理部３１３へ出力された後、ディスプレイ３３に出力される。ここで、通信タイミング生成部３１５は、映像Ｂの垂直同期信号に基づき、通信タイミング信号を生成する。
【００５２】
本変形例における、映像処理ＩＣ３１とマイコン３２の間の通信について、図９、図１０に示すタイミングチャートを用いて説明する。図９、図１０ともに映像Ａをディスプレイに表示する場合のタイミングチャートである。
【００５３】
図９において、時刻Ｔ３１までは、映像Ａが正常に入力されている期間である。この期間の通信タイミング信号は、映像Ａの垂直同期信号に基づき生成されている。
【００５４】
時刻Ｔ３１において、何らかの理由により映像Ａが入力されなくなったとする。この場合、所定の時間後（時刻Ｔ３２）に、映像検出部３１２において、映像Ａが入力されなくなったことが検出される。
【００５５】
すると通信タイミング生成部３１６は、映像Ｂの垂直同期信号に基づいた通信タイミング信号に切り替える。
【００５６】
また、図１０において、時刻Ｔ３３までは、映像Ａが入力されていない期間である。この期間の通信タイミング信号は、映像Ｂの垂直同期信号に基づき生成されている。
【００５７】
時刻Ｔ３３において、映像Ａが正常に入力されるようになったとする。この場合、所定の時間後（時刻Ｔ３４）に、映像検出部３１２において、映像信号が正常に入力されるようになったことが検出される。
すると、通信タイミング生成部３１５は、時刻Ｔ３４における通信タイミング信号のレベル（ハイ、もしくは、ロー）を保持する。そして、時刻Ｔ３５に映像Ａの垂直同期信号に基づき生成した信号に切り替える。
【００５８】
また、図１０に示すように、映像Ｂの垂直同期信号に基づき生成した通信タイミング信号と映像Ａの垂直同期信号に基づき生成した通信タイミング信号を切り替える際に、時刻Ｔ３４で映像信号が正常に入力されるようになったことが検出されてすぐに切り替えるのではなく、映像Ａの垂直同期タイミングを待って（時刻Ｔ３５）切り替えることにより、映像処理を制御するための通信時間を少なくとも通常の１フレーム相当期間（１６．３ｍｓ）以上確保することが可能となる。
【００５９】
以上のように、複数の入力映像系を有している場合においては、所定の入力映像系からの映像信号がなくなった場合に、別の入力映像系の映像信号に基づいて通信タイミングを生成することにより、自走の通信タイミング信号を生成するために必要なカウンタ等の回路が不要となることから、映像信号が入力されない場合の確実な通信の確保をより小さな回路で行うことが可能となる。
【００６０】
なお、これまで説明してきた実施例では全て１つの映像処理ＩＣに、映像入力部と映像検出部と映像処理部と通信制御部と通信タイミング生成部が具備されているとして説明を行ってきたが、これらの処理が２つ以上の映像処理ＩＣに分割して備えられていてもかまわない。例えば、図１１に示すように、映像入力部４１１と映像検出部４１２が第１の映像処理ＩＣ４１Ａに具備され、映像処理部４１３と通信制御部４１４と通信タイミング生成部４１５が第２の映像処理ＩＣ４１Ｂに具備される構成でもかまわない。この場合、図１１に示すように、第１の映像処理ＩＣ４１Ａより映像検出結果がマイコン４２へ出力され、マイコン４２が映像検出結果を第２の映像処理ＩＣ４１Ｂの通信タイミング生成部４１５に通知することにより、通信タイミング生成部４１５は入力映像の有無に応じて、入力映像に同期した通信タイミング信号、または、自走の通信タイミング信号のいずれを出力するかを切り替えることが可能となる。
【００６１】
以上のとおり、本発明を用いることによって、映像信号が入力されない場合には、それを検出して自走で通信タイミングを生成するため、映像信号が入力されない場合にも確実に通信を行うことが可能となる。
また、映像信号が入力されない場合には、自走で映像信号を生成し、自走の映像信号の垂直同期信号に基づき通信制御を行うことによって、映像信号が入力されない場合の通信の確立と、ユーザに対して違和感を与えない映像表示の両立を実現することが可能となる。
【００６２】
また、自走で通信タイミングを生成する際に、常に通信タイミングが垂直同期期間以上になるように制御することにより、入力映像信号の同期タイミングの周期が頻繁にずれる場合や自走の通信タイミングへの切り替え時においても、確実に通信可能時間を確保することが可能となる。
【００６３】
さらに、複数の入力映像系を有している場合においては、所定の入力映像系からの映像信号がなくなった場合に、別の入力映像系の映像信号に基づいて通信タイミングを生成することにより、映像信号が入力されない場合の確実な通信の確保をより小さな回路で行うことが可能となる。
【産業上の利用可能性】
【００６４】
以上のように、本発明にかかる映像表示装置は、映像信号が入力されない場合にも映像処理を制御するための通信を確実に行うことができるという効果を有し、映像処理をするための通信を映像の垂直同期信号に同期して行う方式を用いる映像表示装置等として有用である。
【符号の説明】
【００６５】
１、２、３、４  映像表示装置
１１、２１、３１、  映像処理ＩＣ
１２、２２、３２、４２  マイコン
１３  ２３、３３、４３  ディスプレイ
４１Ａ  第１の映像処理ＩＣ
４１Ｂ  第２の映像処理ＩＣ
１１１、２１１、３１１Ａ、３１１Ｂ、４１１  映像入力部
１１２、２１２、３１２、４１２  映像検出部
１１３、２１３、３１３、４１３  映像処理部
１１４、２１４、３１４、４１４  通信制御部  
１１５、２１５、３１５、４１５  通信タイミング生成部
２１６  自走映像生成部
【図１】
0005625266.tif 000002
【図２】
0005625266.tif 000003
【図３】
0005625266.tif 000004
【図４】
0005625266.tif 000005
【図５】
0005625266.tif 000006
【図６】
0005625266.tif 000007
【図７】
0005625266.tif 000008
【図８】
0005625266.tif 000009
【図９】
0005625266.tif 000010
【図１０】
0005625266.tif 000011
【図１１】
0005625266.tif 000012